(57)【要約】本発明は、電子プレゼンテーションを表示するディスプレイスクリーンと、前記電子プレゼンテーションを供するよう構成されたプレゼンテーション装置とを含むディスプレイシステムを提供する。入力スクリーンは、プレゼンテーション装置に接続され、ユーザが入力スクリーン上に注記を入力した時に、プレゼンテーション装置が、電子プレゼンテーションに当該注記を組み込むようにする。更に、投映ユニットは、プレゼンテーション装置に接続でき、ディスプレイスクリーン上に電子プレゼンテーションを投映するよう構成され、この場合、ユーザが入力スクリーン上に注記を入力した時に、投映ユニットが、電子プレゼンテーションに当該注記を重畳し、ディスプレイスクリーン上に当該電子プレゼンテーションを投映するように、入力スクリーンが投映ユニットに接続される。
2004531803.tif 000002
【特許請求の範囲】
【請求項１】
電子プレゼンテーションを表示するディスプレイスクリーンと、
前記電子プレゼンテーションを供するよう構成されたプレゼンテーション装置と、
前記プレゼンテーション装置に接続された入力スクリーンとを含み、
ユーザが前記入力スクリーン上で注記を入力した際に、前記プレゼンテーション装置が、該注記を前記電子プレゼンテーションに組み込む、プレゼンテーションディスプレイシステム。
【請求項２】
前記プレゼンテーション装置に接続され、前記電子プレゼンテーションを前記ディスプレイスクリーン上に投映するように構成された投映ユニットを更に含む、請求項１記載のプレゼンテーションディスプレイシステム。
【請求項３】
前記ディスプレイスクリーンは、投映スクリーン、液晶ディスプレイ（ＬＣＤ）スクリーン、及び、デジタルディスプレイスクリーンのいずれかである、請求項１記載のプレゼンテーションディスプレイシステム。
【請求項４】
前記プレゼンテーション装置は、電子プレゼンテーションプログラムを実行するように構成されたパーソナルコンピューター（ＰＣ）である、請求項１記載のプレゼンテーションディスプレイシステム。
【請求項５】
前記入力スクリーンは、タッチスクリーン及び光入力型スクリーンのいずれかであり、該入力スクリーンは、ペン、ユーザの指及び光ペンの何れかである入力装置に接続して機能する、請求項１記載のプレゼンテーションディスプレイシステム。
【請求項６】
前記入力スクリーンは、前記プレゼンテーション装置用のモニタ、及び、前記プレゼンテーション装置に接続されるモジュールのいずれかであり、該入力スクリーンは、前記入力装置を介して前記注記を受信し、該注記を前記プレゼンテーション装置に伝達するように構成されている、請求項５記載のプレゼンテーションディスプレイシステム。
【請求項７】
電子プレゼンテーションを表示するディスプレイスクリーンと、
前記電子プレゼンテーションを供給するように構成されたプレゼンテーション装置と、
前記プレゼンテーション装置に接続され、前記ディスプレイスクリーン上に前記電子プレゼンテーションを投映するように構成された投映ユニットと、
前記投映ユニットに接続された入力スクリーンとを含み、
ユーザが前記入力スクリーン上で注記を入力した際に、前記投映ユニットが、該注記を前記電子プレゼンテーションに組み込み、該電子プレゼンテーションを前記ディスプレイスクリーン上に投映する、プレゼンテーションディスプレイシステム。
【請求項８】
前記投映ユニットは、更に、
前記投映ユニットと前記プレゼンテーション装置及び前記入力スクリーンとを接続するように構成されたインターフェースユニットと、
投映ユニットメモリモジュールと、
前記組み込まれた注記及び前記電子プレゼンテーションから形成される画像を生成するように構成された投映ユニットプロセッサとを含む、請求項７記載のプレゼンテーションディスプレイシステム。
【請求項９】
前記入力スクリーンは、タッチスクリーン及び光入力型スクリーンのいずれかである、請求項７記載のプレゼンテーションディスプレイシステム。
【請求項１０】
電子プレゼンテーションを表示するディスプレイスクリーンと、
前記電子プレゼンテーションを供給するように構成されたプレゼンテーション装置と、
ユーザが入力スクリーン上で注記を入力した際に該注記を前記電子プレゼンテーションに前記プレゼンテーション装置が組み込むように、前記電子プレゼンテーションに接続された入力スクリーンと、
前記プレゼンテーション装置に複数の遠隔ユーザノードをネットワーク接続するよう構成され、前記複数の遠隔ユーザノードのそれぞれに前記電子プレゼンテーションからの電子ディスプレイ情報を供給するように構成された、プレゼンテーションネットワーク装置とを含む、プレゼンテーションディスプレイシステム。
【請求項１１】
前記プレゼンテーションネットワーク装置は、前記プレゼンテーション装置及び前記遠隔ユーザノードに、該遠隔ユーザノードの何れか１つで生成された観測者の注記を付与して、該付与された観測者の注記が、該プレゼンテーション装置及び前記電子プレゼンテーションを表示する残りの遠隔ユーザノードにより表示されるようにする、請求項１０記載のプレゼンテーションディスプレイシステム。
【請求項１２】
前記プレゼンテーション装置は、電子プレゼンテーションプログラムを実行するように構成されたパーソナルコンピューター（ＰＣ）である、請求項１０記載のプレゼンテーションディスプレイシステム。
【請求項１３】
前記プレゼンテーションネットワーク装置は、前記プレゼンテーション装置及び前記遠隔ユーザノードの間の双方向通信を供給するように、前記プレゼンテーション装置及び前記遠隔ユーザノードに接続されたネットワーク接続ユニットである、請求項１０記載のプレゼンテーションディスプレイシステム。
【請求項１４】
前記プレゼンテーションネットワーク装置は、更に、前記前記プレゼンテーションネットワーク装置のソフトウェア及びハードウェア機能を動作するように構成されたプロセッサモジュールを含む、請求項１３記載のプレゼンテーションディスプレイシステム。
【請求項１５】
前記プレゼンテーションネットワーク装置は、更に、前記プレゼンテーション装置を前記プロセッサモジュールに接続するよう構成されたプレゼンテーション装置インターフェースを含む、請求項１４記載のプレゼンテーションディスプレイシステム。
【請求項１６】
前記プレゼンテーションネットワーク装置は、更に、前記遠隔ユーザノードを前記プロセッサモジュールに接続するよう構成された遠隔ユーザノードインターフェースを含む、請求項１４記載のプレゼンテーションディスプレイシステム。
【請求項１７】
前記プレゼンテーションネットワーク装置は、更に、前記プロセッサモジュールに接続され、前記プレゼンテーションネットワーク装置のソフトウェア及びハードウェア機能用に前記プロセッサモジュールに必要なメモリを供給するように構成されたメモリモジュールを含む、請求項１４記載のプレゼンテーションディスプレイシステム。
【請求項１８】
前記遠隔ユーザノードは、個人用ビューイング装置を前記プレゼンテーションディスプレイシステムに取り付けるためのリンクであり、該個人用ビューイング装置は、パーソナルコンピューター（ＰＣ）、携帯型コンピューター／システム電子手帳及びノートブック型コンピューターのいずれかである、請求項１０記載のプレゼンテーションディスプレイシステム。
【請求項１９】
前記遠隔ユーザノードは、個人用ビューイング装置であり、該個人用ビューイング装置は、パーソナルコンピューター（ＰＣ）、携帯型コンピューター／システム電子手帳及びノートブック型コンピューターのいずれかである、請求項１０記載のプレゼンテーションディスプレイシステム。
【請求項２０】
前記複数の遠隔ユーザノードのいずれか１つは、前記プレゼンテーション装置及び残りの遠隔ユーザノードから地理的に異なる位置に配置されている、請求項１０記載のプレゼンテーションディスプレイシステム。
【発明の詳細な説明】
【０００１】
本発明は、双方向（ツーウェイ）プレゼンテーション表示システムに向けられる。より詳細には、本発明は、タッチスクリーン機能を有する対話型プレゼンテーション用の双方向プレゼンテーションシステムに関する。
【０００２】
本分野で広く知られているように、ディスプレイプレゼンテーションを実現するための多くの方法がある。かかる方法は、これらに限定されないが、スライド映写、オーバーレイ／オーバーヘッド投映、ＬＣＤ投映、ＰＣデジタル情報からの直接の投映を含む。ＬＣＤ投映プレゼンテーション方法は、ＬＣＤスクリーンを通過する光投射を介してディスプレイスクリーン上に投じられる投映を意味する。ＰＣからの直接のデジタル画像に関して、デスクトップやラップトップコンピューターは、ディスプレイスクリーン上に表示されることになる光投射へとＰＣモニタ上の画像を変換する投映システムに直接接続される。ＬＣＤ投映及びデジタルＰＣ画像投映方法の双方において、ユーザは、マイクロソフト社のパワーポイント（Ｒ）や他の同様のコンピュータースライドプログラムのような、プログラムされた電子プレゼンテーション方法を使用することが一般的である。
【０００３】
しかし、これらのプログラムの一欠点は、画像を表示している間にユーザがスライド上に記号を加えることができる、スライド投映機と異なり、一旦スライドが生成されると、これらが、例えば画像上に直接的にコメント、マーク、他の符合を加えることによってプレゼンテーション中に容易に若しくは速やかに変更することができない、ということである。従って、如何なる修正も、計算機化スライドプログラムによって供される編集機能の使用を必要とする。また、その他の欠点は、かかるプレゼンテーション用の通常の設定により、ディスプレイスクリーン上のプレゼンテーションに、若しくはプレゼンテーション前に配られたスライドショーの印刷複写物に、大勢の見る人が強制的に追従させられることにある。このフォーマットは、プレゼンテーション参加者が質問をしたり若しくは所与のスライドの特定詳細部に注意を向けたりすることを困難にする。
【０００４】
それ故に、プレゼンテーション若しくはセミナー中に対話的な態様でプレゼンター若しくは参加者による実時間の修正、追加、若しくは新たなスライドの作成が可能な、電子プレゼンテーション若しくはセミナーを公演することに対する必要性がある。
【０００５】
このため、本発明の目的は、マイクロソフト社のパワーポイント（Ｒ）プレゼンテーションのような、電子プレゼンテーションを表現及び表示するためのシステム及び方法を提供することにある。このため、本発明の目的は、追加のプログラミング無しに、若しくは、プレゼンテーションを実行するプレゼンテーション装置やＰＣから物理的に離れることなく、プレゼンターがスライドプレゼンテーションを変更できるような、プレゼンターがプレゼンテーションスライドにライトペンやタッチスクリーンにより注記やマークができる対話式プレゼンテーションフォーマットを提供することによって、先行技術の欠点を克服することにある。本発明のその他の目的は、プレゼンテーションを実行するプレゼンテーション装置やＰＣに観衆がネットワーク接続される、電子プレゼンテーションに対応するラップトップ型若しくはＰａｌｍ Ｐｉｌｏｔ（Ｒ）のような遠隔電子手段を提供することにある。これは、スライドを見る及びマークするための手段を参加者に提供し、そのマークは、主プレゼンテーション上に、及び、残りの参加者がもつ他の遠隔電子手段のモニタ上に表示される元の画像に加えられる。
【０００６】
本発明の一実施例では、電子プレゼンテーションを表示するディスプレイスクリーンと、前記電子プレゼンテーションを供するよう構成されたプレゼンテーション装置とを含むディスプレイシステムが提供される。プレゼンテーション装置は、それに取り付けられる入力スクリーンを有し、ユーザが入力スクリーン上に注記を入力した時に、プレゼンテーション装置が、電子プレゼンテーションに当該注記を組み込むようにする。ディスプレイスクリーンは、投映スクリーン、液晶ディスプレイ（ＬＣＤ）スクリーン、及び、デジタルディスプレイスクリーンのいずれかである。プレゼンテーション装置は、好ましくは、電子プレゼンテーションスライドプログラムである電子プレゼンテーションプログラムを実行するように構成されたパーソナルコンピューター（ＰＣ）である。
【０００７】
入力スクリーンは、タッチスクリーン及び光入力型スクリーンのいずれかであることができ、入力スクリーンは、入力装置に接続して機能する。入力装置は、ペン、ユーザの指及び光ペンの何れかであることができる。入力スクリーンは、プレゼンテーション装置用のモニタ及び該プレゼンテーション装置に接続されたモジュールのいずれかであることができ、この場合、入力スクリーンは、入力装置を介して注記を受信し、当該注記をプレゼンテーション装置に伝達するよう構成される。
【０００８】
本発明のその他の実施例では、ディスプレイシステムは、電子プレゼンテーションを表示するディスプレイスクリーンと、
前記電子プレゼンテーションを供給するように構成されたプレゼンテーション装置と、
前記プレゼンテーション装置に接続され、前記ディスプレイスクリーン上に前記電子プレゼンテーションを投映するように構成された投映ユニットと、
ユーザが入力スクリーン上で注記を入力した際に、前記投映ユニットが、該注記を前記電子プレゼンテーションに組み込むように、前記投映ユニットに接続された入力スクリーンとを含む。
【０００９】
投映ユニットは、更に、投映ユニットをあらゆる外部装置に接続するように構成されたインターフェースユニット、投映ユニットメモリモジュール、及び、投映ユニットプロセッサを含み、投映ユニットプロセッサは、組み込まれた注記及び電子プレゼンテーションから形成される画像をプレゼンテーション装置にインターフェースを介して送るように構成されている。
【００１０】
入力スクリーンは、タッチスクリーン及び光入力型スクリーンの何れかであることができ、この場合、入力スクリーンは、入力装置に接続して機能する。入力装置は、ペン、ユーザの指及び光ペンの何れかであることができる。
【００１１】
本発明のその他の実施例では、プレゼンテーションディスプレイシステムは、電子プレゼンテーションを表示するディスプレイスクリーンと、前記電子プレゼンテーションを供するよう構成されたプレゼンテーション装置とを含む。プレゼンテーション装置は、それに取り付けられる入力スクリーンを有し、プレゼンターが入力スクリーン上に注記を入力した時に、プレゼンテーション装置が、電子プレゼンテーションに当該プレゼンターの注記を組み込むようにする。ディスプレイシステムは、また、プレゼンテーション装置に複数の遠隔ユーザノードをネットワーク接続するように構成されたプレゼンテーションネットワーク装置を備える。プレゼンテーションネットワーク装置は、電子プレゼンテーションからの電子ディスプレイ情報を複数の遠隔ユーザノードのそれぞれに供給するよう構成される。
【００１２】
プレゼンテーションネットワーク装置は、前記プレゼンテーション装置及び前記遠隔ユーザノードに、該遠隔ユーザノードの何れか１つで生成された観測者の注記を付与して、該プレゼンテーション装置及び前記電子プレゼンテーションを表示する残りの遠隔ユーザノードが、該付与された観測者の注記を表示することになるように、構成される。プレゼンテーション装置は、好ましくは、電子プレゼンテーションプログラムを実行するよう構成されたパーソナルコンピューター（ＰＣ）である。
【００１３】
プレゼンテーションネットワーク装置は、前記プレゼンテーション装置及び前記遠隔ユーザノードの間の双方向通信を供給するように前記プレゼンテーション装置及び前記遠隔ユーザノードに接続されたネットワーク接続ユニットを備える。プレゼンテーションネットワーク装置は、更に、前記前記プレゼンテーションネットワーク装置のソフトウェア及びハードウェア機能を動作するように構成されたプロセッサモジュールを含む。プレゼンテーションネットワーク装置は、更に、前記プレゼンテーション装置を前記プロセッサモジュールに接続するよう構成されたプレゼンテーション装置インターフェースを含む。プレゼンテーションネットワーク装置は、更に、前記遠隔ユーザノードを前記プロセッサモジュールに接続するよう構成された遠隔ユーザノードインターフェースを含む。
【００１４】
プレゼンテーションネットワーク装置は、更に、前記プロセッサモジュールに接続され、前記プレゼンテーションネットワーク装置のソフトウェア及びハードウェア機能用に前記プロセッサモジュールに必要なメモリを供給するように構成されたメモリモジュールを含む。
【００１５】
遠隔ユーザノードは、個人用ビューイング装置を前記プレゼンテーションディスプレイシステムに取り付けるためのリンク若しくは個人用ビューイング装置自身である。個人用ビューイング装置は、パーソナルコンピューター（ＰＣ）、携帯型コンピューター／システム電子手帳及びノートブック型コンピューターのいずれかである。複数の遠隔ユーザノードのいずれか１つは、前記プレゼンテーション装置及び残りの遠隔ユーザノードから地理的に異なる位置に配置されている。
【００１６】
本発明の一実施例では、ディスプレイスクリーン１２上に電子プレゼンテーションを表示するためのプレゼンテーション表示システム１０が提供される。システム１０は、プレゼンテーション装置１４、ディスプレイスクリーン１２、プレゼンテーション装置１４に取り付けられる入力スクリーン、及び、投映装置１８からなる。システム１０は、入力スクリーン１６に対するマーキングユニット２０を単に採用することによって、電子プレゼンテーションにおける複数のディスプレイのうちいずれか１つに注記や印を付加する手段を供するように構成されて、編集やマーキングが、電子プレゼンテーションから元のディスプレイと関連して現れるようにし、電子プレゼンテーションにおけるディスプレイ上の題材の強調及び容易な修正を可能とする。
【００１７】
［個々のプレゼンテーションディスプレイシステム］
［構造］
図１に示すように、システム１０は、プレゼンテーション装置１４からなり、プレゼンテーション装置１４は、マイクロソフト社のパワーポイント（Ｒ）電子スライドプレゼンテーションプログラムのような電子プレゼンテーションシステムを動作するように構成される。プレゼンテーション装置１４は、ラップトップコンピューター、デスクトップＰＣ若しくは電子プレゼンテーションプログラムを実行できる他の装置であってよい。説明の目的のため、プレゼンテーション装置１４は、マイクロソフト社のウインドウズＯＳ（Ｒ）を実行するラップトップ若しくはノートブックコンピューターであり、電子プレゼンテーションプログラムは、マイクロソフト社のパワーポイント（Ｒ）電子スライドプレゼンテーションシステムである。但し、これらは説明上の例にすぎず、電子プレゼンテーションプログラムを動かすことができる如何なるプレゼンテーション装置も本発明の範囲である。
【００１８】
プレゼンテーション中、プレゼンテーション装置１４は、プレゼンテーション装置１４のモニタ上に見られるような画像をディスプレイスクリーン１２上に投映する投映ユニット１８に取り付けられる。説明の目的のため、参加者という用語は、一般的に、システム１０を介する電子プレゼンテーションの使用を伴う如何なる種のイベントのすべての参加者を指す。
【００１９】
投映ユニット１８は、図１に示すように、プレゼンテーション装置１４に結合される電子投映ユニットであり、プレゼンテーション装置１４からデジタルデータを受信し、当該データをディスプレイスクリーン１２上への投映用の画像へと変換するように構成されている。この目的のため、投映ユニット１８は、プレゼンテーション１４のモニタ上に表示される画像と同一の画像に対応する情報を受信し、当該画像を内部光源の使用を介してディスプレイスクリーン１２上に投映する。しかし、多様な種の投映ユニット１８を用いた他の方法も可能である。ここで説明され図１に示されるデジタル投映ユニット１８は、例に過ぎず、本発明の観点を制限するものでない。ディスプレイスクリーン１２上にプレゼンテーション装置１４内に格納される電子プレゼンテーションの画像を投映できる如何なる投映ユニット１８は、本発明の想到の範囲内である。
【００２０】
ディスプレイスクリーン１２は、図１に示すように、電子プレゼンテーションの画像が投映ユニット１８により投映される際に、それを表示するために使用される単なるグレー若しくは白のスクリーンである。ディスプレイスクリーン１２は、ディスプレイスクリーンとして適切に機能できる限り、如何なる大きさや色であってよく、ディスプレイスクリーン１２は、かかる画像を表示するのに適当な色及び寸法である場合には、電子プレゼンテーションがなされる部屋の単なる壁であってもよい。
【００２１】
プレゼンテーション装置１４には、入力スクリーン１６が結合され、入力スクリーン１６は、電子プレゼンテーションの画像を表示すると共に、プレゼンターが、適切なマーキングユニット２０によりスクリーンに単にタッチすることにより、手で直接電子プレゼンテーションスライドに修正、スケッチ、編集ライン、若しくは他の印若しくは注記を入れることを可能とするように構成されている。図１に示すように、入力スクリーン１６及びプレゼンテーション装置１４のモニタは同一である。この場合、プレゼンテーション装置１４は、ラップトップであり、この場合、モニタが、ディスプレイ、及び、ライトペンやスタイラスのようなマーキングユニット２０からの直接入力を受ける入力スクリーン１６の双方である。このため、入力スクリーン１６は、電子プレゼンテーションの画像を表示するのみならず、ユーザがプレゼンテーション画像上に直接マークを入力・編集し、それらを変更若しくは付加できるようにする。
【００２２】
入力スクリーン１６は、ユーザがディスプレイ画像の上に注記を入力することを可能とする、タッチ、光源若しくはその類の他の装置のような幾つかの入力手段を有してよく、この場合、注記は、次いで、消去、移動、編集、若しくは、プレゼンテーション画像の元の題材への永久的な付加として記憶されうる。このため、マーキングユニット２０は、ライトペンやスタイラス更にはユーザの指のような入力スクリーン１６上に情報を入力するのに使用できる如何なる装置であることができる。但し、入力スクリーン１６は、情報キオスクやＡＴＭ機で広く使用される機能的なコマンドタッチスクリーンを単に意味するのでなく、入力の移動を実際に解釈でき、電子プレゼンテーションからの画像の上へのプレゼンテーション装置１４による直接的な線及び図の入力を可能とするスクリーンを指す。
【００２３】
入力スクリーン１６の制御は、プレゼンテーション装置１４により扱われる。このため、プレゼンテーション装置１４は、入力スクリーン１６の機能的な側面を制御し、例えば、タッチ入力特徴をオン及びオフにする時、タッチ入力線及び図の編集、付記の色表示の変更、入力スクリーンプログラム制御機能、及び、入力スクリーン１６が実行できる他の機能、を制御する。
【００２４】
本発明の代替実施例では、図２に示すように、入力スクリーン１６は、プレゼンテーション装置１４のモニタとは別の装置であることができる。かかる場合、電子プレゼンテーションの画像は、３つの装置、即ちプレゼンテーション装置のモニタ、入力スクリーン１６、及びディスプレイスクリーン１２上に表示される。この構成は、ＰＣ若しくはラップトップ型プレゼンテーション装置１４がマニュアルスクリーン入力手段を備えていない状況で使用できる。入力スクリーン１６は、タッチ編集／描画特徴を付加する別のハードウェアとしてプレゼンテーション装置１４に結合できる。動作時、プレゼンテーション装置１４は、そのモニタ、ディスプレイスクリーン１２及び入力スクリーン１６上に電子プレゼンテーションからの画像を表示する。プレゼンターが画像にラインを付加若しくは編集したい時、プレゼンターは、単に適切なマニュアル手段により当該編集を入力し、画像が、全ての３つの画像ディスプレイ上で同時に更新される。
【００２５】
入力スクリーン１６に対する代替実施例は、図２に示すように、プレゼンテーション装置がマニュアル入力スクリーン１６を内蔵していないときに効果的に使用されて、古いＰＣ及びラップトップ型プレゼンテーション装置１４がシステム１０での使用のために更新可能とされる。説明上、入力スクリーン１６がプレゼンテーション装置１４用のモニタと同一である図１の実施例が、本発明の説明を通して用いられるが、何れの構成であっても、システム１０の残りの特徴に影響することなく、略同一の態様で動作することになる。
【００２６】
図１若しくは図２の何れの実施例においても、プレゼンテーションからの既存の画像への注記の付加に加えて、プレゼンテーション装置１４を使用するプレゼンターは、新たな白紙のスライドを使用できる。かかる場合、プレゼンターは、既存の画像に関連して使用されるだろうものと類似する注記やマークを作成できるが、この特徴は、プレゼンテーションプログラムにより多機能性を付与し、完全な新しい手で描かれたスライドが組み込まれることに対処する。新たに作成されたスライドは、新たなスライドとして電子プレゼンテーションプログラム内に記憶でき、若しくは、白紙のスライドが単に概略的な説明や計算のために使用される場合には、消去できる。
【００２７】
既存の画像若しくは白紙のスライド上への注記、マーキング若しくは編集の完成時、プレゼンテーション装置１４は、元の画像及び新しい注記を新たな単一画像として結合画像として格納できる。白紙のスライド上の注記の場合、これは、新たなマークの記憶だけを必要とするだろう。プレゼンテーションからの既存の画像になされる注記の場合、記憶される場合、新たな注記は、元の画像に結合され、単一の新たな編集画像が生成される。元の画像に影響を及ぼさない、別のファイルとしての注記の記憶のような、種々の追加の記憶オプションが、プレゼンテーション装置１４で使用されうる。システム１０で使用されるプレゼンターにより作成される注記を記憶するためのプレゼンテーション装置１４によってなされるあらゆる記憶方法は、本発明の想到の範囲内である。
【００２８】
尚、投映ユニット１８及びディスプレイスクリーン１２の機能的な要素を結合することは可能である。図３ａに示す代替実施例では、プレゼンテーション装置１４は、プレゼンテーション装置１４のデジタル出力からの画像を直接表示できる、ＬＣＤ（液晶ディスプレイ）、ＨＤＴＶ（高品位テレビ）、若しくは、他の類する装置であるディスプレイスクリーン１２に直接的に結合される。ディスプレイスクリーン１２用のこれらのフォーマットは、よりコストが嵩み、サイズにより制限があるが、小規模の会議設定やその類の状況で有用でありうる。
【００２９】
投映ユニット１８により投映される画像をその上に有するのでなく、ディスプレイスクリーン１２自身が画像を表示できる場合、ディスプレイスクリーン１２は、プレゼンテーション装置１４に直接電気的に結合される。この際、ディスプレイスクリーン１２は、プレゼンテーション装置１４からのデジタルデータを使用して、プレゼンテーション装置１４のモニタ上に表示される画像と同一の画像を、自身の内部部品を使用して表示する。
【００３０】
図３ａに示すような、参加者に電子プレゼンテーションを表示する代替方法は、図１で述べた構成よりも有利であるが、説明上、ディスプレイスクリーン１２及び投映ユニット１８を用いるシステム１０が説明される。しかし、何れの構成も略類似した態様で動作し、各特定のプレゼンテーション状況に応じて容易に相互変換できる。
【００３１】
本発明のその他の実施例では、図３ｂに示すように、システム１０の投映ユニット１８は、投映ユニットプロセッサ１９、投映ユニットメモリモジュール２１及びインターフェースを内部に備える。投映ユニットプロセッサ１９は、投映ユニット１８の機能を制御すると共に手による編集情報を維持するように構成されている。図１に示す基本構成では、投映ユニット１８は、単に、元の画像及びプレゼンテーション装置１４内で生成された付加修正の画像の双方の集約結果に基づく電子プレゼンテーション画像を投映する装置である。図３ｂに示すシステム１０の構成では、投映ユニット１８は、電子プレゼンテーションの元の画像及び手による編集からの画像の双方を格納するように構成される自己の投映ユニットメモリモジュール２１及び投映ユニットプロセッサ１９を有する。投映ユニット１８は、その投映ユニットプロセッサ１９を用いてプレゼンテーション画像上に手による編集情報を重畳することによって新しい画像を生成する。何れに構成においても、最終的には、ディスプレイスクリーン１６が、元のプレゼンテーション画像及び手による編集の修正若しくは編集された画像を表示する。
【００３２】
この構成は、システム１０用に必要な部品を含むため事前にその装備をアップグレードするときに特に有用である、追加のオプションをユーザに提供する。例えば、図３ｂに示す代替実施例により、プレゼンターは、単に投映ユニット１８を付加し且つプレゼンテーション装置１４上に必要なソフトウェアをインストールすることによって、投映機能の無い標準的なＰＣ若しくはノートブック型コンピューターをアップグレードすることが可能となる。何れの構成も良好に動作するが、説明上、投映ユニット１８は、図１に示す簡易な投映装置を指すこととする。
【００３３】
本発明のその他の実施例では、図３ｃに示すように、システム１０の投映ユニット１８は、図３ｂの構成と同様、その内部に配置される投映ユニットプロセッサ１９、投映ユニットメモリモジュール３１及びインターフェース２３を有する。投映ユニットプロセッサ１９は、投映ユニット１８の機能を制御すると共に手による編集情報を維持するように構成されている。入力スクリーン１６は、また、投映ユニット１８に結合され、投映ユニットプロセッサ１９に手による編集情報を直接供給するように構成されている。図３ｂの構成とは異なり、図３ｃの構成では、投映ユニット１８は、インターフェース２３を介して投映ユニット１８に直接結合される入力スクリーン１６から入力データを受信した後に新たな画像を生成する。新たな画像は、投映ユニットプロセッサ１９により、プレゼンテーション画像上に手による注記情報を重畳することによって生成される。３つの構成の何れにおいても、最終的には、ディスプレイスクリーン１２は、元のプレゼンテーション画像及び手による編集若しくは注記を表示する。
【００３４】
この構成は、システム１０用に必要な部品を含むために事前にその装備をアップグレードする際に特に有用である、追加の選択肢をユーザに提供する。例えば、図３ｃの代替実施例によれば、プレゼンターは、単に入力スクリーン１６に結合される投映ユニット１８を付加し且つプレゼンテーション装置１４上に必要なソフトウェアをインストールすることによって、入力スクリーン技術、即ちタッチ感応式若しくは光感応式でなく、若しくは投映能力を有していない標準的なＰＣ若しくはノートブック型コンピューターをアップグレードすることが可能となる。
【００３５】
これらの構成の何れの構成も良好に動作するが、説明上、投映ユニット１８は、図１に示す簡易な投映装置を指すこととする。
【００３６】
［動作］
図４に示す本発明の一実施例では、プレゼンターは、ステップ１００にてシステム１０の動作を開始し、電子プレゼンテーションを記憶し次いでプレゼンテーション装置１４上で再生することができる、プレゼンテーション装置１４若しくは他の適合した装置上に電子プレゼンテーションを作成する。
【００３７】
次に、ステップ１０２にて、プレゼンターは、システム１０の動作を開始し、電子プレゼンテーションからの画像がディスプレイスクリーン１２上に投映ユニット１８を介して投映されるように、プレゼンテーション装置１４上で電子プレゼンテーションを実行させ、会議若しくはセミナーの参加者が個々のプレゼンテーションスライドを見ることができるようにする。プレゼンテーションは、プレゼンターが、電子プレゼンテーションスライドのコンピューター上での編集若しくは再プログラミングを通常的に必要とするだろう、スライドの編集、スライドの領域の強調、スライドの完成、新しい白紙のスライド上での付加若しくは作業、注記の付加、若しくはその他の機能を実行することがプレゼンターに必要とされるイベントが生ずるまで、セミナー若しくはプレゼンテーションを実行する際の通常の方法を使用して続けられる。
【００３８】
ステップ１０４では、プレゼンターは、プレゼンテーション装置１４からの制御機能を介して、入力モードに入力スクリーン１６を移行させる。入力モードでは、入力スクリーン１６は、タッチ若しくは光若しくは他の物理的な刺激に感応する。次に、ステップ１０６では、プレゼンターは、マーキング装置２０を用いて、入力スクリーン１６上に線や図を入力する。入力スクリーン１６上のマーキングは、プレゼンテーション装置１４により盛り込まれ、新たな手による描画題材を含むように電子プレゼンテーション画像が変化させられ、ディスプレイスクリーン１２、入力スクリーン１６、及び、入力スクリーン１６と分かれている場合にはプレゼンテーション１４のモニタ上に表示される。
【００３９】
ステップ１０８では、プレゼンターは、プレゼンテーション装置１４からの制御機能を介して、固定モードに入力スクリーン１６を移行させる。固定モードでは、入力スクリーン１６は、如何なる手による入力にも感応せず、望ましくない不意のタッチング及び他の不注意の接触が、電子プレゼンテーションの画像の永久部分とならないようにする。
【００４０】
その後、プレゼンテーション装置１４上の制御機能を介してプレゼンターにより制御されるような、各マニュアル入力後、若しくは、他の所定の指定時間で、プレゼンテーション装置１４は、ステップ１１０にて、新たに付加された題材を続行する方法に関する一連の選択肢の選択をなすようプレゼンターに促す。
【００４１】
ステップ１１２ａでは、ユーザが入力変更の選択肢を選んだ場合、プレゼンテーション装置１４は、プレゼンターにより入力された編集ラインや図を記憶して、新たな題材がスライドに含まれる元の画像に永久的に埋め込まれ、電子プレゼンテーションからの画像が保存されるようにする。
【００４２】
ステップ１１２ｂでは、ユーザが手による編集変更の選択肢を選んだ場合、プレゼンテーション装置１４は、プログラムをステップ１０４まで戻すことにより、入力スクリーンを再び入力モードに移行させ、ユーザが手による入力を変更できるようにする。
【００４３】
ステップ１１２ｃでは、ユーザがコンピューター編集変更の選択肢を選んだ場合、プレゼンテーション装置１４は、プレゼンテーション装置１４を介してマウスやキーボード機能により、プレゼンターが手による入力を変更若しくは移動できるようにする。このコンピューター編集変更は、新たな線や形状の色の変更及び反転、移動、消去を含むが、これらに限定されない。
【００４４】
最後に、ステップ１１４にて、プレゼンテーション装置１４がプレゼンターのコマンドを実行し終えると、電子プレゼンテーションは、元のプログラムに従って次の画像若しくはスライドに進む。ユーザは、プレゼンテーションの終了までに多くのスライド若しくは画像をプレゼンターが選ぶような場合にしばしば必要となるが、いつでも、続くスライドに対してステップ１０４乃至１１４を繰り返すことによってマニュアル編集機能を再始動できる。
【００４５】
［ネットワーク化プレゼンテーションディスプレイシステム］
本発明のその他の実施例では、システム１０は、多くのユーザと関連した使用のためにネットワークに組み込まれることができ、プレゼンター若しくは出席者が電子プレゼンテーションを介して対話できるようにし、この場合、マニュアル編集ライン及び形状は、プレゼンターのマニュアル入力の結果としてだけでなく、室内の各々の席から直接的に入力される出席者のマニュアル入力の結果としても表示される。
【００４６】
［構造］
このため、図６に示すように、システムは、更に、プレゼンテーション装置１４及び少なくとも１つの遠隔ユーザノード２４との間の２方向の通信を提供するように構成されるプレゼンテーション装置１４に結合されるネットワークユニット２２を含む。ネットワークユニット２２に接続されるシステムの種々の構成要素及びあらゆる数の遠隔ユーザノード２４は、無線若しくは有線接続若しくは両者の組み合わせを採用してよい。有線通信が図に示されているが、これは例に過ぎず、以下で説明する構成要素間の、無線若しくは有線に拘らず、如何なる利用可能な通信方法は、本発明の想到の範囲内である。
【００４７】
遠隔ユーザノード２４は、セミナー若しくは会議の出席者に対してプレゼンテーション装置１４に直接リンクするための手段を提供し、出席者が、電子プレゼンテーションスライド若しくは画像により直接対話できるようにする。尚、本発明の一実施例によれば、全ての出席者が、同一の地理的位置にいる必要は無い。種々の地理的位置にいる出席者及びプレゼンターを接続する遠隔ネットワーク通信も考えられる。
【００４８】
ネットワークユニット２２は、図７に示すように、プロセッサモジュール２６、プレゼンテーション装置インターフェースモジュール２８、遠隔ユーザノードインターフェースモジュール３０、及び、メモリモジュール３２からなる。
【００４９】
プロセッサモジュール２６は、プレゼンテーション装置インターフェースモジュール２８及び遠隔ユーザノードインターフェースモジュール３０に結合されるよう及びそれらを制御するように構成される。メモリモジュール３２は、ネットワークユニット２２のデータ転送機能に必要なあらゆるバッファリングメモリを供給すると共に、プロセッサモジュール２６により使用されるあらゆる必要な動作ソフトウェアに対するメモリを供給する。プレゼンテーション装置インターフェースモジュール２８及び遠隔ユーザノードインターフェースモジュール３０は、共に、遠隔ユーザノード２４とプレゼンテーション装置１４の間のデータフローを扱うように構成される。例えば、プレゼンテーションモジュール１４上で電子プレゼンテーションを実行するとき、画像若しくはスライドは、遠隔ユーザノード２４にて着席する出席者に直接転送できる。更に、編集がプレゼンター若しくは出席者により入力される時、インターフェースモジュール２８，３０は、情報の流れを制御して、プレゼンテーション装置１４及び全ての遠隔ユーザノード２４で同一の更新情報が表示されるようにする。尚、上述の如く、プレゼンター若しくは出席者が白紙のスライドで作業したい場合、プレゼンテーション装置１４は白紙のスライドを付与する。プレゼンター若しくは出席者が注記を完成したとき、プレゼンテーション装置１４は、ユーザの指示に従って、注記を保存若しくは破棄する。
【００５０】
本発明の一実施例では、図６に示すように、遠隔ユーザノード２４は、ノートブック若しくはラップトップコンピューター、若しくはＰａｌｍＰｉｌｏｔ（Ｒ）のような個人用電子デバイスのような、個人用ビューイング装置３４を接続するためのリンクである。この構成では、ネットワークユニット及び遠隔ユーザノード２４は、適切なソフトウェアを有する場合にあらゆる出席者が電子プレゼンテーションに干渉できるように、部屋まわりに配置される。この形式は、出席者が自己の個人用ビューイング装置３４を有するか若しくはプレゼンターによる講義に入る際に渡され終了後に返却することができる場合の、クラスルーム設定に対して効果的である。
【００５１】
本発明のその他の実施例では、図８に示すように、遠隔ユーザノード２４及び個人用ビューイング装置３４は、一体化される。この構成は、上述よりもより永久的な設計であり、会議の出席者等が日ごとに同一であるような場合の、オフィス設定での使用対してより効果的である。この形式では、遠隔ユーザノード２４／個人用ビューイング装置３４の構成が、毎日その装置を使うユーザに合ったものとなる。更に、この構成により、より良好なソフトウェア制御、維持量の削減、及び、ネットワークユニット２２との多くの装置の一定の接続により生ずる遅延の低減が、可能となる。説明上、図５に示すシステム１０の構成が用いられるが、電子プレゼンテーション対話用のネットワークユニットを介して出席者の装置に接続するプレゼンテーション装置を採用する如何なるシステムも本発明の推考の範囲内である。
【００５２】
［動作］
本発明の一実施例では、図９に示すように、先ずステップ２００で、プレゼンターが、プレゼンテーション装置１４用の電子プレゼンテーションを作成する。次に、ステップ２０２で、プレゼンターは、システム１０の動作を開始し、電子プレゼンテーションからの画像がディスプレイスクリーン１２上に投映ユニット１８を介して投映されるように、プレゼンテーション装置１４上で電子プレゼンテーションを実行させ、会議若しくはセミナーの参加者が個々のプレゼンテーションスライドを見ることができるようにする。更に、画像若しくはスライドは、また、ネットワークユニット２２を介して、少なくとも遠隔ユーザノード２４及び／又は接続された個人用ビューイング装置３４に送られて、出席者が、ディスプレイスクリーン１２上で電子プレゼンテーションを見ることができるだけでなく、自身のモニタ上で追従できるようにする。
【００５３】
プレゼンテーションは、電子プレゼンテーションスライドのコンピューター上での編集若しくは再プログラミングを通常的に必要とするだろう、スライドの編集、スライドの領域の強調、スライドの完成、新しい白紙のスライド上での付加若しくは作業、注記の付加、若しくはその他の機能を実行することがプレゼンターに必要とされるイベントが生ずるまで、セミナー若しくはプレゼンテーションを実行する際の通常の方法を使用して続けられる。更に、個人用ビューイング装置３４及び／又は遠隔ユーザノード２４が入力スクリーン１６と類似する機能を持ち、システム１０に互換性がある場合、プレゼンターは、プレゼンテーション装置１４及びネットワークユニット２２のプロセッサモジュール２６を介した、プレゼンター制御にて、出席者が自身の個人用ビューイング装置３４及び／又は遠隔ユーザノード２４を介して自己の編集を作成することを許容できる。
【００５４】
ステップ２０４では、プレゼンター若しくは出席者は、プレゼンテーション装置１４及び／又は個人用ビューイング装置３４からの制御機能を介して、入力スクリーン１６若しくは個人用ビューイング装置３４を入力モードに移行する。これは、電子プレゼンテーション形式に依存して幾つかの異なる態様で生ずることができる。例えば、プレゼンターがオープン形式を望む場合、入力スクリーン１６若しくは個人用ビューイング装置３４を入力モードに移行させる制御は、プレゼンター及び出席者の双方の手に委ねられる。しかし、プレゼンターが出席者のアクセスに対してより厳しい制御を維持することを望む場合、プレゼンテーション装置１４は、仮に出席者が自己の個人用ビューイング装置３４を入力モードに切り替える能力を有するときでもプレゼンターが一人だけで制御するような、フィルタとして使用できる。説明上、いつでもプレゼンター若しくは如何なる出席者も自身の個人用ビューイング装置３４若しくは入力スクリーン１６に対して入力モードを使用できる電子プレゼンテーションのオープン形式を想定する。
【００５５】
ステップ２０６では、プレゼンター若しくは出席者は、入力スクリーン１６若しくは個人用ビューイング装置３４上の適切な面上にマーキング装置２０を用いて線若しくは図を入力する。装置上でなされたマーキングは、プレゼンテーション装置１４により盛り込まれ、新たな手による描画題材を含むように電子プレゼンテーション画像が変化させられ、ディスプレイスクリーン１２、入力スクリーン１６、全てのリンクされた個人用ビューイング装置３４、及び、入力スクリーン１６と別部品の場合にはプレゼンテーション１４のモニタ上に表示される。
【００５６】
次に、ステップ２０８で、プレゼンター若しくは出席者は、手による描画を完成し、新たな題材の作成者は、入力スクリーン１６若しくは個人用ビューイング装置３４を、プレゼンテーション装置１４及び／又は個人用ビューイング装置３４での制御を介して、固定モードに移行させる。制御及びこの制御での出席者の参加レベルは、ステップ２０４で説明したような制御と整合性のある特定の電子プレゼンテーションに対する観測者参加のレベルに依存して変化する。固定モードでは、入力スクリーン１６及び個人用ビューイング装置３４は、如何なる手による入力にも感応せず、望ましくない不意のタッチング及び他の不注意の接触が、電子プレゼンテーションの画像の永久部分とならないようにする。
【００５７】
その後、プレゼンテーション装置１４上の制御機能を介してプレゼンターにより制御されるような、各マニュアル入力後、若しくは、他の所望の時間経過後、プレゼンテーション装置１４は、ステップ２１０にて、新たに付加された題材をどのように対処するかに関する一連の選択肢の選択をなすようプレゼンターに促す。
【００５８】
ステップ２１２ａでは、プレゼンターが入力変更の選択肢を選んだ場合、プレゼンテーション装置１４は、プレゼンター若しくは出席者により入力された編集ラインや図を記憶して、新たな題材がスライドに含まれる元の画像に永久的に埋め込まれ、電子プレゼンテーションからの画像が保存されるようにする。
【００５９】
ステップ２１２ｂでは、プレゼンターが手による編集変更の選択肢を選んだ場合、プレゼンテーション装置１４は、プログラムをステップ１０４まで戻すことにより、入力スクリーン１６若しくは個人用ビューイング装置３４を再び入力モードに移行させ、プレゼンター若しくは出席者が手による入力を変更できるようにする。
【００６０】
ステップ２１２ｃでは、プレゼンターがコンピューター編集変更の選択肢を選んだ場合、プレゼンテーション装置１４は、プレゼンテーション装置１４を介してマウスやキーボード機能により若しくは個人用ビューイング装置３４の同様の手段により、プレゼンター若しくは出席者が手による入力を変更若しくは移動できるようにする。このコンピューター編集変更は、新たな線や形状の色の変更及び反転、移動、消去を含むが、これらに限定されない。
【００６１】
尚、編集ステップ２１２ａ−２１２ｃに対する制御は、同様に、プレゼンターが電子プレゼンテーション中に使用することを望む出席者参加の量に依存したプレゼンターの最終制御である。
【００６２】
最後に、ステップ２１４にて、プレゼンテーション装置１４がプレゼンター及び出席者のコマンドを実行し終えると、電子プレゼンテーションは、元のプログラムに従って次の画像若しくはスライドに進む。プレゼンターは、プレゼンテーションの終了までに多くのスライド若しくは画像をプレゼンターが選ぶような場合にしばしば必要となるが、いつでも、ステップ２０４乃至２１４を繰り返すことによって続くスライドに対するシステムのマニュアル編集機能を再始動できる。
【００６３】
本発明のある特徴のみが図示及び説明されたが、多くの修正、代替、変更若しくは均等物が当業者に見いだされるだろう。それ故に、この出願は、本発明の真の精神の範囲内となるこれらの全ての修正及び変更をカバーすることを意図するものである。
【図面の簡単な説明】
【００６４】
【図１】本発明の一実施例によるディスプレイシステムである。
【図２】本発明のその他の実施例によるディスプレイシステムである。
【図３Ａ】本発明のその他の実施例によるディスプレイシステムである。
【図３Ｂ】本発明のその他の実施例によるディスプレイシステムである。
【図３Ｃ】本発明のその他の実施例によるディスプレイシステムである。
【図４】本発明の一実施例によるディスプレイシステムの動作の流れ図である。
【図５】本発明のその他の実施例によるディスプレイシステムである。
【図６】本発明のその他の実施例によるディスプレイシステムである。
【図７】本発明の一実施例によるネットワーク装置の構成図である。
【図８】本発明のその他の実施例によるディスプレイシステムである。
【図９】本発明のその他の実施例によるディスプレイシステムの動作の流れ図である。
【図３Ｂ】
2004531803.tif 000003
【図３Ｃ】
2004531803.tif 000004
【図４】
2004531803.tif 000005
【図７】
2004531803.tif 000006
【図９】
2004531803.tif 000007
【国際公開パンフレット】
2004531803.tif 000008
2004531803.tif 000009
2004531803.tif 000010
2004531803.tif 000011
2004531803.tif 000012
2004531803.tif 000013
2004531803.tif 000014
2004531803.tif 000015
2004531803.tif 000016
2004531803.tif 000017
2004531803.tif 000018
2004531803.tif 000019
2004531803.tif 000020
2004531803.tif 000021
2004531803.tif 000022
2004531803.tif 000023
2004531803.tif 000024
2004531803.tif 000025
2004531803.tif 000026
2004531803.tif 000027
2004531803.tif 000028
2004531803.tif 000029
2004531803.tif 000030
2004531803.tif 000031
2004531803.tif 000032
2004531803.tif 000033
2004531803.tif 000034
2004531803.tif 000035
【国際公開パンフレット（コレクトバージョン）】
2004531803.tif 000036
【国際調査報告】
2004531803.tif 000037
2004531803.tif 000038
2004531803.tif 000039